(57)【特許請求の範囲】
【請求項１】
上部が開放された矩形状のトレー部と、当該トレー部上に載置される蓋体と、を有する紙製の棺おけであって、
前記トレー部は、上部が開放された矩形状の底トレー部と、当該底トレー部とは別体に構成され脱着自在とされた筒状の中間胴部とから構成し、
前記底トレー部は、底板の周囲に側板が立設された第１トレー部材と、当該第１トレー部材内に設置され底板の周囲に側板が立設された第２トレー部材とを有し、前記両側板間に前記中間胴部を差し込み保持する溝部を形成してなり、前記各側板の高さを可及的に低くしたことを特徴とする棺おけ。
【請求項２】
前記中間胴部は、長尺な一対の側板部材と、両側板部材間に設けられた繋ぎ部材とからなり、前記各側板部材を少なくとも１回折り返した折り返し板から構成し、前記繋ぎ部材は、前記折り返し板の内板に両端が接合された折り曲げ可能な芯材と、この芯材の上端に係止され前記両側板部材間に密に押し込まれる折り返し板からなる差込み板と、から構成したことを特徴とする請求項１に記載の棺おけ。
【請求項３】
前記中間胴部の側板部材は、端部に断面隠し板を設けたことを特徴とする請求項２に記載の棺おけ。
【請求項４】
前記トレー部は、前記第１トレー部材の少なくとも底部角部に紙管からなる補強部材を設けたことを特徴とする請求項１に記載の棺おけ。
【請求項５】
前記トレー部は、内面に樹脂製シートを設けたことを特徴とする請求項１又は４に記載の棺おけ。
【請求項６】
前記トレー部及び中間胴部は、少なくとも内面を覆う布を設けたことを特徴とする請求項１〜５のいずれかに記載の棺おけ。
【請求項７】
前記トレー部の第１及び第２の両側板は、高さを６０ｍｍ〜１００ｍｍとしたことを特徴とする請求項１〜６のいずれかに記載の棺おけ。
【発明の詳細な説明】
【技術分野】
【０００１】
本発明は、収納時に場所をとらず、使用時に簡単に組み立てることができ、燃焼性の面でも有利な棺おけに関する。
【背景技術】
【０００２】
最近、段ボール製の棺おけが種々提案されている。これら棺おけは、通常、上部が開放された矩形状のトレー部と、このトレー部上に載置される蓋体とから構成されている。例えば、下記特許文献１のものは、上端開放した箱状のトレー部に蓋体を載置しており、トレー部は、それぞれ一対の長側板と短側板とから構成され、これら各側板の下端に鈎体を形成し、この鈎体を底板に取り付けることにより組み立てるように構成している。そして、トレー部を組み立てた後に、布団の上などに横たえた遺体を持ち上げ、トレー部内に収容した後、蓋体を閉じることになる。
【特許文献１】登録新案第３０５７９１４公報（要約、図参照）
【発明の開示】
【発明が解決しようとする課題】
【０００３】
しかし、トレー部の高さは、比較的高いものとなっているため、遺体をトレー部内に収容する場合、一旦相当高い位置まで持ち上げ、そして深くて細い幅のトレー部の内部に慎重に下ろさなければならない。このため、持ち上げのみでなく、収容時もその作業は大変な労力を要する。棺おけを組み立てる場合も、長尺な側板の鈎体を底板の溝部分に比較的長距離にわたって係合させなければならず、簡単に係合できず、組み立て作業は面倒なものとなっている。長尺な鈎体の部分を段ボールにより成形する場合においても、折曲部分の形成は、面倒で、精度的にも十分なものが得られない。このため、組み立てと製造の両面で問題を有するものとなっている。さらに、不使用時に関しても、長側板、短側板及び底板がそれぞれ厚い段ボールを積層したものにより形成されているので、重量があり、寸法的にも厚みを有し、容積も嵩み、棺おけ自体の収納や搬送性の面でも問題を有するものとなっている。特に、災害時に備え、多数の棺おけを予め準備しておく場合には、スペース的に問題を有するものとなる。
【０００４】
本発明は、上記従来技術に伴う課題を解決するためになされたものであり、組立て作業が容易で、重量及び寸法的にも問題がなく、収納時のスペース及び搬送性の面でも問題のない、棺おけを提供することを目的とする。
【０００５】
上記目的は、下記の手段により達成される。
【０００６】
（１）上部が開放された矩形状のトレー部と、当該トレー部上に載置される蓋体と、を有する紙製の棺おけであって、前記トレー部は、上部が開放された矩形状の底トレー部と、当該底トレー部とは別体に構成され脱着自在とされた筒状の中間胴部とから構成し、前記底トレー部は、底板の周囲に側板が立設された第１トレー部材と、当該第１トレー部材内に設置され底板の周囲に側板が立設された第２トレー部材とを有し、前記両側板間に前記中間胴部を差し込み保持する溝部を形成してなり、前記各側板の高さを可及的に低くしたことを特徴とする棺おけ。
【０００７】
（２）前記中間胴部は、長尺な一対の側板部材と、両側板部材間に設けられた繋ぎ部材とからなり、前記各側板部材を少なくとも１回折り返した折り返し板から構成し、前記繋ぎ部材は、前記折り返し板の内板に両端が接合された折り曲げ可能な芯材と、この芯材の上端に係止され前記両側板部材間に密に押し込まれる折り返し板からなる差込み板と、から構成したことを特徴とする前記（１）の棺おけ。
【０００８】
（３）前記中間胴部の側板部材は、端部に断面隠し板を設けたことを特徴とする前記（２）の棺おけ。
【０００９】
（４）前記トレー部は、前記第１トレー部材の少なくとも底部角部に紙管からなる補強部材を設けたことを特徴とする前記（１）の棺おけ。
【００１０】
（５）前記トレー部は、内面に樹脂製シートを設けたことを特徴とする前記（１）又は（４）の棺おけ。
【００１１】
（６）前記トレー部及び中間胴部は、少なくとも内面を覆う布を設けたことを特徴とする前記（１）〜（５）の棺おけ。
【００１２】
（７）前記トレー部の第１及び第２の両側板は、高さを６０ｍｍ〜１００ｍｍとしたことを特徴とする前記（１）〜（６）の棺おけ。
【発明の効果】
【００１３】
請求項１に記載の発明は、紙製の棺おけのトレー部を、扁平な底トレー部と、これに脱着自在に取り付けられる筒状の中間胴部とから構成し、底トレー部に中間胴部を差し込み保持する溝部を形成し、底トレー部の側板の高さを可及的に低くしたので、扁平な底トレー部のみを組立てた後に遺体を収容すればよく、遺体を大きく持ち上げることなくトレー部上に移動させることができ、遺体の収容も少人数で容易にでき、作業性が極めて向上する。遺体の収容後においても、扁平な底トレー部の溝部に中間胴部を差し込めばよく、棺おけ自体の組立て作業も容易となる。
【００１４】
また、底トレー部と中間胴部を取外すと、個々の部材は軽量で極めて扁平なものとなるため、重量及び寸法的にも問題がなく、収納時のスペース及び搬送性の面でも問題のない棺おけとなる。特に、災害時に備え、多数の棺おけを予め準備しておく場合のスペース的な問題に関しても、コンパクト化により所定のスペースに多数のものを収納することができる。
【００１５】
さらに、全体を紙により構成し、金属を使用していないので、燃焼しやすく、完全に燃え、環境汚染の問題もない。
【００１６】
請求項２に記載の発明は、中間胴部を、長尺な一対の側板部材と、両側板部材間に設けられた繋ぎ部材とから構成し、繋ぎ部材を折り曲げ可能な芯材と、両側板部材間に押し込む差込み板とから構成したので、扁平に折り畳んだ状態で収納しても、使用時にはしっかりとしたものとなる。
【００１７】
請求項３に記載の発明は、側板部材の端部に断面隠し板を設けたので、側板部材の端部に、段ボールの波形状の面が露出することはなく、見栄えのするものとなる。
【００１８】
請求項４に記載の発明は、トレー部において、第２トレー部材の底部角部に紙管からなる補強部材を設けたので、トレー部の剛性が高まり、想到重量がある遺体でも十分支持することができ、棺おけが変形する虞はない。
【００１９】
請求項５に記載の発明では、トレー部の内面に樹脂製シートを設けたので、棺おけ内に冷却材や植物などを入れても水分が漏れ出す虞もない。
【００２０】
請求項６に記載の発明では、トレー部及び中間胴部の内面に布を設けたので、見栄えが向上する。
【００２１】
請求項７に記載の発明は、トレー部の第１及び第２の両側板の高さを６０ｍｍ〜１００ｍｍとすれば、トレー部への遺体搬入が容易になる。
【発明を実施するための最良の形態】
【００２２】
以下、本発明の実施形態を、図面を参照しつつ説明する。
【００２３】
図１は本発明の実施形態に係る棺おけを示す分解斜視図、図２は同棺おけの組立て状態を示す軸直角断面図、図３は蓋体の分解斜視図、図４（Ａ）は底トレー部の第１トレー部材の組立て状態を示す分解斜視図、図４（Ｂ）は底トレー部の第２トレー部材の組立て状態を示す分解斜視図、図５は中間胴部の長辺側板の分解斜視図、図６は中間胴部の組立て状態を示す分解斜視図、図７は短辺側板の分解斜視図、図８は中間胴部の最終的な組立て状態を示す分解斜視図である。
【００２４】
図１，２に示すように、本実施形態に係る棺おけ１は、上部が開放された矩形状のトレー部１０と、トレー部上に載置される蓋体２とを有しているが、トレー部１０は、上部が開放された扁平な底トレー部１１と、底トレー部１１とは別体に構成されかつ脱着自在とされた筒状の中間胴部３０とを有し、これら各部材が段ボールにより構成されている。
【００２５】
以下、個々の部材を詳述する。
【００２６】
まず、蓋体２は、図３に示すように、それぞれ扁平な五角形状に形成された内蓋３と外蓋４とを有し、内蓋３は、外蓋４内に嵌合される構成である。なお、内外両蓋３，４の端部近傍には窓５が設けられている。
【００２７】
内蓋３は、３つのピースからなり、これら各ピースの端板３ａを相互に接着剤などにより接着した連結状態で外蓋４内に嵌合されている。したがって、端板３ａは、蓋体２全体の補強材として機能し、蓋体２の剛性が高められる。内蓋３を外蓋４内に嵌合した後、蓋体２の外表面に、適宜装飾を施したり、端部に金色をした蓋用モール６を取り付けてもよい。
【００２８】
底トレー部１１は、図４（Ａ）（Ｂ）に示すように、第１トレー部材１２と、第１トレー部材１２が内部に設置される第２トレー部材１３とを有している。
【００２９】
第１トレー部材１２は、図４（Ａ）に示すように、まず、底板１５の周囲に側板１６が立設され、クラフト粘着テープＰなどを用いて、扁平な箱状に仕上げられている。第１トレー部材１２の底部角部には、長尺な角紙管からなる補強部材１７が設けられ、トレー部の剛性並びに強度を高めている。なお、補強部材１７は、角部に設けるのみでなく、中間部分にも設けてもよい。そして、この箱体の上部には、ポリエチレンあるいはポリプロピレンなどの非透水性のシート１８が覆うように設けられ、両面テープなどの接合部材１９により内面あるいは外面に沿って接合されている。
【００３０】
一方、第２トレー部材１３は、図４（Ｂ）の最下位に示すように、最終的には底板２０の周囲に側板２１が立設された扁平な箱状に形成されるが、この第２トレー部材１３は、中心プレート２２の側縁部２３でコ字状枠板２４を包むことにより側板２１を形成し、中心プレート２２の下部を下プレート２５で覆い、内部に２枚の補強プレート２６を設置したものである。
【００３１】
このように形成した第２トレー部材１３は、内部に第１トレー部材１２が設置できるように第１トレー部材１２より一回り大きなサイズである。この結果、第２トレー部材１３の内部に第１トレー部材１２を設置すると、第１トレー部材１２の側板１６と、第２トレー部材１３の側板２１との間に溝部Ｍ（図１，２参照）が形成されることになる。溝部Ｍは、後述の中間胴部３０を差し込み保持する部分である。
【００３２】
中間胴部３０は、図５〜８に示すが、主として、長尺な一対の長辺側板３１と、両側板部材３１間に設けられた繋ぎ部材３２とから構成されている。
【００３３】
各長辺側板３１は、図５に示すように、１回折り返した折り返し板３３と、内部に設置される中芯板３４とからなり、両長辺側板３１を対向設置した状態で、その端部間を、図６に示すように、繋ぎ部材３２により連結している。なお、図１，６，８には、簡単のため、後述の芯材３５のみを図示している。
【００３４】
繋ぎ部材３２は、中間胴部３０を折り畳み自在とするために、比較的薄肉のシート材からなり、折り返し板３３の内板に両端が接合された折り曲げ可能な芯材３５と、図７に示すように、この芯材の上端に係止され前記長辺側板３１間に密に押し込まれる差込み板３６と、から構成されている。差込み板３６は、折り返し板３７と、内部に設置される中芯板３８とからなり、折り返し板３７の頂部に形成された折り曲げ部３９は、芯材３５の頂端部分に掛ける部分である。差込み板３６は、扁平な１枚の板材であり、長辺側板３１間にきっちりと密に嵌り込むように寸法幅を所定のものとされている。
【００３５】
そして、このような中間胴部３０を形成した後、最終的には、図８に示すように、中間胴部３０内面全面に布Ｎが設けられ、長辺側板３１の端部に断面隠し板４０が取り付けられる。なお、布Ｎは、底トレー部１１にも設けてもよい。
【００３６】
次に、作用を説明する。
【００３７】
まず、棺おけ１を組み立てるには、底トレー部１１と、筒状の中間胴部３０と、蓋体２をそれぞれ個別に組み立てる。この組み立て時において、比較的扁平な３部品を別個に組み立てるので作業的には容易でかつ迅速に行なうことができることになる。
【００３８】
そして、底トレー部１１を布団の側部に設置し、布団に横たえられている遺体を持ち上げ、底トレー部１１の上に移動する。この場合、底トレー部１１の側板１６及び側板２１は、高さが低いため、遺体の収容に当っては、不必要に高く持ち上げることなく行なうことができ、しかも、従来のように深くて細い幅のトレー部１１の内部に遺体を慎重に下ろす作業も解消されるので、作業的には極めて容易となる。
【００３９】
遺体を収容した後は、中間胴部３０の下端を、第１トレー部材１２の側板１６と、第２トレー部材１３の側板２１との間に形成された溝部Ｍに嵌め込む。
【００４０】
この結果、図９に示すように、中間胴部３０は、補強材１７により補強された第１トレー部材１２の側板１６と、２枚の補強プレート２６により補強された第２トレー部材１３の側板２１との間で挟持されることになり、少なくとも横方向の強度は優れたものとなる。なお、棺おけ１は、通常下から支えるので、このような横方向の強度があれば十分である。
【００４１】
そして、中間胴部３０を底トレー部１１の溝部Ｍに嵌め込んだ後、中間胴部３０の上に蓋体４を取り付け、棺おけ１を閉じる。
【００４２】
＜実験例＞
底トレー部１１として、厚さが３ｍｍの段ボールを使用し、補強材１７としては、厚さが３ｍｍで、一辺が４０ｍｍの角紙管を使用した。底トレー部１１の全体的な大きさは、長手方向寸法１９０ｃｍ、短辺側の寸法５５ｃｍ、側板１６及び側板２１の高さ寸法９ｃｍのものとした。
【００４３】
これを一対の枕木上に設置した。枕木の間隔は、１４０ｃｍとした。底トレー部１１の上に１１５Ｋｇのウェイトを載置し、７日間放置し、中央部分の撓みを測定した。撓みは、３ｍｍ程度であった。また、この７日間放置した底トレー部１１であって、しかもウェイトを載置した状態のままで、４名で持ち上げ、上下左右に揺すった結果、底が抜けたり変形の発生はなく、全く問題を生じなかった。
【００４４】
また、底トレー部１１に、中間胴部３０と蓋体２を取り付けた状態で、実際の斎場で燃焼試験を行なった。燃焼した結果、残渣は見られなかった。排気ガス中の有害物質、灰のダイオキシン濃度の測定を行なった結果、０．００１３ｎｇ‐ＴＥＱ／ｇという値を示した。これは、環境基準として要求される３ｎｇ‐ＴＥＱ／ｇに対して大幅に小さい値であり、環境基準値を大幅にクリアーする、極めて良好な結果が得られた。
【００４５】
本発明は、上述した実施の形態に限定されるものではなく、特許請求の範囲の範囲内で種々改変することができる。例えば、上述した実施形態の棺おけは、段ボール紙を使用したが、これのみでなく、例えば、ハニカム状紙など、ある程度剛性を有する紙であればどのようなものであってもよい。また、補強材として角紙管を使用したが、丸紙管などを使用することもできる。
【産業上の利用可能性】
【００４６】
本発明は、設置スペースをとらず、簡単に組立て可能な棺おけを簡単に成形できる。
【図面の簡単な説明】
【００４７】
【図１】本発明の実施形態に係る棺おけを示す分解斜視図である。
【図２】同棺おけの組立て状態を示す軸直角断面図である。
【図３】蓋体の分解斜視図である。
【図４】（Ａ）は底トレー部の第１トレー部材の組立て状態を示す分解斜視図、（Ｂ）は底トレー部の第２トレー部材の組立て状態を示す分解斜視図である。
【図５】中間胴部の長辺側板の分解斜視図である。
【図６】中間胴部の組立て状態を示す分解斜視図である。
【図７】短辺側板の分解斜視図である。
【図８】中間胴部の最終的な組立て状態を示す分解斜視図である。
【図９】図２のＡ部の拡大断面図である。
【符号の説明】
【００４８】
１…棺おけ、
４…蓋体、
１０…トレー部、
１１…底トレー部、
１２…第１トレー部材、
１３…第２トレー部材、
１５，２０…底板、
１６，２１…側板、
１７…補強部材、
１８…樹脂製シート、
３０…中間胴部、
３１…側板部材、
３２…繋ぎ部材、
３３…折り返し板、
３５…芯材、
３９…差込み板、
４０…断面隠し板、
Ｍ…溝部、
Ｎ…布。
【図１】
0004649659.tif 000002
【図２】
0004649659.tif 000003
【図３】
0004649659.tif 000004
【図４】
0004649659.tif 000005
【図５】
0004649659.tif 000006
【図６】
0004649659.tif 000007
【図７】
0004649659.tif 000008
【図８】
0004649659.tif 000009
【図９】
0004649659.tif 000010